(57)【要約】【課題】未溶融のアスベストが飛散することを防止して、アスベストを含む廃棄物を効率的に処理するアスベスト溶融処理装置を提供する。【解決手段】アスベストを含む廃棄物と該アスベストの融点降下剤と水とを混合した混合物Ｘを加熱溶融する水平方向に延びる円筒状の反応炉１１と、反応炉１１の外周側に設けられて混合物Ｘを間接的に加熱する加熱手段１２と、反応炉１１の上流側から下流側に混合物Ｘを連続搬送するスクリューコンベア１３とを備え、反応炉１１には、上流側に混合物Ｘを供給する供給口１４と、下流側にスクリューコンベア１３により混合物Ｘの溶融処理物を排出する排出口１５と、供給口１４と排出口１５との間の反応炉１１を加熱する前記加熱手段１２と、供給口１４と加熱手段１２による加熱領域との間に、反応炉１１内の気体を排気する排気口１６とが設けられている。【選択図】図２
2007105719.tif 000002
【特許請求の範囲】
【請求項１】
アスベストを含む廃棄物と該アスベストの融点降下剤と水とを混合した混合物を加熱溶融して処理するアスベスト溶融処理装置において、
前記混合物を加熱溶融する水平方向に延びる円筒状の反応炉と、
前記反応炉の外周側に設けられて、前記反応炉内の前記混合物を間接的に加熱する加熱手段と、
前記反応炉内に設けられて、該反応炉の上流側から下流側に前記混合物を連続搬送するスクリューコンベアとを備え、
前記反応炉には、上流側に前記混合物を供給する供給口と、下流側に前記スクリューコンベアにより該混合物の溶融処理物を排出する排出口と、該供給口と該排出口との間の反応炉を加熱する前記加熱手段と、該供給口と該加熱手段による加熱領域との間に、該反応炉内の気体を排気する排気口とが設けられていることを特徴とするアスベスト溶融処理装置。
【請求項２】
前記排気口から前記反応炉内の気体をフィルタを介して吸引して排気する排気処理手段を備えることを特徴とする請求項１記載のアスベスト溶融処理装置。
【請求項３】
前記排気処理手段は、前記アスベストを含む廃棄物の混合物を調整するクリーンルーム内の気体を前記フィルタを介して吸引して排気することを特徴とする請求項２記載のアスベスト溶融処理装置。
【請求項４】
前記スクリューコンベアは、前記反応炉の中心軸に対して下方に偏心させたスクリュー軸を有することを特徴とする請求項１から請求項３のうちいずれか１項記載のアスベスト溶融処理装置。
【発明の詳細な説明】
【技術分野】
【０００１】
本発明は、例えば石綿スレート、アスベスト吹付材等の建築材料等を廃棄することにより生じる廃アスベストを溶融して処理するアスベスト溶融処理装置に関するものである。
【背景技術】
【０００２】
従来、アスベストの溶融処理方法としては、アスベストと該アスベストの融点降下剤であるフロン分解物とを混合して、該混合物を反応炉内において約６００℃で約２時間、加熱して処理する方法が知られている（特許文献１参照。）。アスベストには、クリソタイル、アモサイト、クロンドライト等の種類があり、その融点はクリソタイルが１５２１℃、アモサイトが１３９９℃、クロンドライトが１１９３℃と高温であるが、かかるアスベストの溶融処理方法は、フロン分解物をアスベストの融点降下剤として作用させることで、約６００℃という低温でアスベストを溶融させて無害化処理するものである。
【０００３】
かかるアスベストの溶融処理方法は、実験的に一定の成果を上げることが実証されているものの、処理量を増やして、アスベストを工業的に無害化処理することは難しい。
【０００４】
処理量を増やすためには、アスベストを連続的に投入して処理する必要がある。そこで、アスベストを連続的に加熱処理するロータリーキルンを用いることが考えられる。しかし、ロータリーキルンは、反応炉を回転させるための回転部があるため、密閉構造とすることは困難である。そのため、反応炉の回転により未溶融のアスベストが反応炉内の空間に舞い上がり、かかる未溶融のアスベストを含む気体が炉外に飛散してしまうという不都合がある。
【０００５】
また、アスベスト吹付材を処理するためには、アスベストとフロン分解物との混合物にバインダとして水を加えて扱い易くする必要があるが、かかる水を含む混合物をロータリーキルンで加熱すると反応炉内の雰囲気温度よりも低い温度の水蒸気が発生して炉内に充満し、反応炉の温度上昇を妨げるという不都合がある。
【特許文献１】特開２００５−１６８６３２号公報
【発明の開示】
【発明が解決しようとする課題】
【０００６】
本発明は、かかる不都合を解消して、未溶融のアスベストが飛散することを防止して、アスベストを含む廃棄物を効率的に処理するアスベスト溶融処理装置を提供することを課題とする。
【課題を解決するための手段】
【０００７】
上記課題を解決するために、本発明は、アスベストを含む廃棄物と該アスベストの融点降下剤と水とを混合した混合物を加熱溶融して処理するアスベスト溶融処理装置において、前記混合物を加熱溶融する水平方向に延びる円筒状の反応炉と、前記反応炉の外周側に設けられて、前記反応炉内の前記混合物を間接的に加熱する加熱手段と、前記反応炉内に設けられて、該反応炉の上流側から下流側に前記混合物を連続搬送するスクリューコンベアとを備え、前記反応炉には、上流側に前記混合物を供給する供給口と、下流側に前記スクリューコンベアにより該混合物の溶融処理物を排出する排出口と、該供給口と該排出口との間の反応炉を加熱する前記加熱手段と、該供給口と該加熱手段による加熱領域との間に、該反応炉内の気体を排気する排気口とが設けられていることを特徴とする。
本発明のアスベスト溶融処理装置では、まず、反応炉の上流側に設けられた供給口から、アスベストの融点降下剤と水分とを含有する前記混合物が反応炉内に供給される。供給された混合物は、スクリューコンベアによって攪拌されながら反応炉の下流側へ搬送される。このとき、混合物は、初めに加熱領域の上流側で該加熱領域の予熱によって加熱され、その含有する水分が蒸発する。そして、混合物から蒸発した水蒸気は、供給口と加熱領域との間に設けられた排気口から排気される。次に、水分が蒸発した状態となった混合物は、加熱領域に搬送されて所定温度（例えば５５０℃〜８００℃）で所定時間（例えば１時間〜２時間）加熱されて溶融処理される。
【０００８】
かかる本発明のアスベスト溶融処理装置によれば、アスベストを含む前記混合物は、反応炉の上流側から下流側へ搬送されながら間接加熱されて処理されるため、アスベストの連続処理が可能となる。
【０００９】
また、本発明のアスベスト溶融処理装置によれば、前記混合物はスクリューコンベアによって攪拌されながら反応炉の下流側へ搬送されるため、未溶融のアスベストが反応炉内の空間に舞い上がることを防止することができる。さらに、前記排気口が設けられる供給口と加熱領域との間の区間は、混合物が未だ水分を含有していてアスベストが飛散し難い状態である区間に対応している。そのため、排気口から排気しても未溶融のアスベストが流出することを避けることができる。従って、本発明のアスベスト溶融処理装置では、未溶融のアスベストが反応炉から大気中に飛散することを抑制することができる。
【００１０】
さらに、本発明のアスベスト溶融処理装置によれば、前記混合物から蒸発した水蒸気は、供給口と加熱領域との間に設けられた排気口から排気されるので、水蒸気を含む気体が加熱領域に流れ込んで反応炉内の温度を低下させることを防止することができる。これにより、加熱領域における熱効率を向上させることができる。
【００１１】
また、本発明のアスベスト溶融処理装置は、前記排気口から前記反応炉内の気体をフィルタを介して吸引して排気する排気処理手段を備えることが好ましい。
【００１２】
本発明のアスベスト溶融処理装置では、排気口からの吸引により、反応炉内には下流側から上流側へ向かう気体の流れが生じる。そのため、前記加熱領域において未溶融のアスベストが飛散した場合であっても、かかる未溶融のアスベストを含む気体は、排気口から吸引され、フィルタによって清浄化されて排気される。
従って、本発明のアスベスト溶融処理装置によれば、未溶融のアスベストを含む気体が下流側へ流されて排出口から前記溶融処理物とともに炉外に排出されることを確実に防止することができる。
【００１３】
さらに、本発明のアスベスト溶融処理装置において、前記排気処理手段は、前記アスベストを含む廃棄物の混合物を調整するクリーンルーム内の気体を前記フィルタを介して吸引して排気することが好ましい。
【００１４】
かかる本発明のアスベスト溶融処理装置によれば、反応炉内の気体を吸引すると同時に、未溶融のアスベストが飛散し得るクリーンルーム内の気体を吸引して清浄化する。これにより、装置構成を複雑にすることなく、未溶融のアスベストがクリーンルームから大気中に飛散することを防止することができる。
【００１５】
また、本発明のアスベスト溶融処理装置において、前記スクリューコンベアは、前記反応炉の中心軸に対して下方に偏心させたスクリュー軸を有することが好ましい。
【００１６】
かかる本発明のアスベスト溶融処理装置によれば、スクリューコンベアと反応炉の上部内壁との間に間隙が形成される。そのため、前記混合物から蒸発した水蒸気は、該間隙を介して前記排気口から円滑に排出することができる。また、前記混合物は、スクリューコンベアによって反応炉の下方位置で攪拌されながら下流側へ搬送される。これにより、混合物が攪拌および搬送される位置と反応炉内の気体が流れる位置とを分けることができ、気流が混合物に接触しない状態で流れるため、混合物に含まれる未溶融のアスベストが炉内に舞い上がることをより確実に防止することができる。
【発明を実施するための最良の形態】
【００１７】
次に、添付の図面を参照しながら本発明の実施の形態についてさらに詳しく説明する。図１は本実施形態のアスベスト溶融装置の構成を示す概念図であり、図２は図１の概念図の詳細を示すシステム構成図であり、図３は反応炉内の温度分布と混合物の状態を示す説明図である。
【００１８】
図１に示すように、本実施形態のアスベスト溶融装置は、アスベストを含む廃棄物と該アスベストの融点降下剤と水と混合した混合物Ｘを加熱して溶融処理する溶融処理装置１０と、アスベストを含む廃棄物と該アスベストの融点降下剤と水とを混合して混合物Ｘと調整し、溶融処理装置１０に供給する混合装置２０と、混合装置２０にアスベストを含む廃棄物を供給するための投入口を内部に備えるクリーンルーム３０と、溶融処理装置１０とクリーンルーム３０とから排気される気体を清浄化して排気する排気処理装置４０とを備える。
【００１９】
図２に示すように、溶融処理装置１０は、ステンレス鋼（ＳＵＳ３０４）製の反応炉１１と、反応炉１１内の該混合物を間接的に加熱する加熱装置１２と、反応炉１１に供給された混合物Ｘを反応炉１１の上流側から下流側に搬送するスクリューコンベア１３を備えている。
【００２０】
反応炉１１は円筒状体であって、該円筒状体の軸が水平となるように配置され、上流側に混合装置２０から混合物Ｘを供給する供給口１４と、下流側には反応炉１１で得られた溶融処理物を排出する排出口１５と、供給口１４と加熱装置１２による加熱領域との間に、加熱装置１２によって加熱されることにより発生する水蒸気等の加熱気体を排気する排気口１６とを備えている。
【００２１】
加熱装置１２は、反応炉１１の中央から上流側および下流側に延びる領域（本発明における加熱領域）の外周側に、反応炉１１を囲むように設けられ熱気を収容する加熱装置本体１７と、加熱装置本体１７の上流側の供給口１７ａに接続されたバーナコーン１８ａと、加熱装置本体１７の中央部の供給口１７ａ´に接続されたバーナコーン１８ａ´と、バーナコーン１８ａ，１８ａ´に取付けられた燃焼バーナ１８ｂ，１８ｂ´とを備えている。供給口１７ａ，１７ａ´とバーナコーン１８ａ，１８ａ´とは、反応炉１１の接線方向から上流側に所定角度傾けて設けられている。バーナコーン１８ａ，１８ａ´は円筒状部と、加熱装置本体１７に向かって次第に縮径される円錐状の先端部とからなり、該円筒状部の外周面に、その接線方向に火炎を吹き込むように燃焼バーナ１８ｂ，１８ｂ´が配設されている。燃焼バーナ１８ｂ，１８ｂ´は、燃焼用空気導管１８ｃを介して押し込みファン１８ｄに接続されている。
【００２２】
一方、加熱装置本体１７の排出口１７ｂには排気ダクト１９ａが接続されており、排気ダクト１９ａは、上向きに配設されたノズル１９ｂを介して煙突１９ｃに接続されている。ノズル１９ｂにはエゼクトファン１９ｄに接続された排気補助管１９ｅが設けられており、排気補助管１９ｅから供給される空気を上向きに噴出することにより上昇流を形成し、排気の排出を補助する。
【００２３】
スクリューコンベア１３は、反応炉１１の外部に設けられた駆動装置１３ａと、反応炉１１内に設けられたスクリュー軸１３ｂおよびスクリュー１３ｃとからなり、スクリュー軸１３ｂを反応炉１１の中心軸に対して下方に偏心させて設けられている。
【００２４】
混合装置２０は、アスベストの融点降下剤（例えば、フロン分解処理物）と水との混合液を供給するホッパ２１と、アスベストを含む廃棄物が供給されるアスベスト供給スクリューコンベア２２とを備えている。混合装置２０は、ホッパ２１とスクリューコンベア２２から供給される材料を混合し、得られた混合物をロータリーバルブ２３を介して反応炉１１に供給する。
【００２５】
クリーンルーム３０には、アスベスト供給スクリューコンベア２２に接続された箱型のアスベスト投入口３１と、室内の気体を吸引する吸引口３２が設けられている。
【００２６】
排気処理装置４０は、反応炉１１の排気口１６に接続された排気ダクト４１と、クリーンルーム３０の吸引口３２に接続された排気ダクト４２と、排気ダクト４１に取り付けられた空冷装置４３と、排気ダクト４１，４２に接続されたフィルタ装置４４と、排気ダクト４１，４２を介して反応炉１１およびクリーンルーム３０内の気体をフィルタ装置４４側に吸引する吸引ファン４５とを備える。
【００２７】
空冷装置４３は、空冷式熱交換器を備え、排気ダクト４１内の気体の温度をフィルタ装置４４の耐熱温度まで低下させる。
【００２８】
フィルタ装置４４は、フィルタ筺体４４ａに、粒径０．３マイクロメートル以上の粒子の捕集が可能なヘパフィルタ装置４４ｂが取り付けられており、反応炉１１から吸引された気体およびクリーンルーム３０内から吸引された気体に含まれ得る未溶融のアスベストをろ過する。
【００２９】
次に、アスベスト溶融装置の作動について説明する。
【００３０】
アスベスト溶融装置では、まず、防塵服および防塵マスク等を着用した作業者が、クリーンルーム３０において、アスベストを含む廃棄物が梱包された二重袋を開封して、アスベストを含む廃棄物を投入口３１に投入する。投入されたアスベストを含む廃棄物は、スクリューコンベア２２によって混合装置２０へ搬送され供給される。
【００３１】
一方、混合装置２０のホッパ２１から、アスベストの融点降下剤であるフロン分解物と水とを混ぜた水分散液が混合装置２０に供給される。
【００３２】
そして、混合装置２０では、アスベストを含む廃棄物と前記水分散液とが混合調整される。このとき、スクリューコンベア２２から供給されるアスベストを含む材料と、バインダ供給ホッパ２１から供給される水分散液中のフロン分解処理物とが、重量比で１：０．５〜１：３の範囲、好ましくは１：２の割合となるように混合調整される。そして、得られた混合物Ｘは水分が１５〜４０重量％の湿り気を有する状態となり、ロータリーバルブ２３を介して所定の割合で反応炉１１に連続的に供給される。
【００３３】
本実施形態では、前記アスベストを含む材料として、ビル、住宅等の解体現場から排出されるアスベスト吹付材であって、セメント６０重量％、ロックウール３５〜３７重量％、アスベスト３〜５重量％を含むものを用いる。
【００３４】
また、前記フロン分解処理物は、廃棄された自動車、空調設備、大型冷蔵設備等から回収されたフロンを、プラズマまたは高温のガス炎で分解した後、石灰スラリーで中和したものを用いる。前記フロン分解処理物は、ＣａＦ２を主成分とし、ＣａＣＯ３、ＣａＣｌ２等を含んでいる。
【００３５】
また、前記バインダは、水のみを混合する場合に限らず、水を媒体とする水溶液等（例えば、塩素系水溶液等）を混合するようにしてもよい。
【００３６】
次に、反応炉１１に供給された混合物Ｘは、上流側の供給口１４側から下流側の排出口１５側に向かってスクリューコンベア１３により、１〜２時間かけて攪拌されながら連続搬送される。スクリューコンベア１３は、スクリュー軸１３ｂを、円筒状の反応炉１１の中心軸の下方に偏心させて設けられ、スクリューコンベア１３と反応炉１１の上部内壁との間には間隙が形成されている。そのため、混合物Ｘはスクリューコンベア１３によって、反応炉１１の下方位置で攪拌されながら徐々に下流側へ搬送され、混合部Ｘに含まれる未溶融のアスベストが前記間隙に舞い上がることを防止することができる。
【００３７】
一方、燃焼バーナ１８ｂ、１８ｂ´は、押し込みファン１８ｄから供給される燃焼用空気を用いて、図示しない燃料タンクから供給される軽油等の燃料を燃焼させ、火炎をバーナコーン１８ａ，１８ａ´に吹き込む。燃焼バーナ１８ｂ，１８ｂ´は、バーナコーン１８ａ，１８ａ´の円筒状部の外周側に接線方向に設けられているので、前記火炎は該円筒状部の内周面に沿って旋回して渦となり、円錐状部から高熱の燃焼排気を加熱装置本体１７に供給する。
【００３８】
加熱装置本体１７に供給された高温の燃焼排気は、供給口１７ａ，１７ａ´とバーナコーン１８ａ，１８ａ´とが反応炉１１の接線方向から上流側に所定角度傾けて設けられているため、加熱装置本体１７の下流側の排出口１７ｂに向かって反応炉１１を包み込むように旋回しながら進行し、反応炉１１を間接加熱する。ここで、一方のバーナコーン１８ａ´および燃焼バーナ１８ｂ´を加熱装置本体１７の中央部に設けることで、上流側に設けられた他方のバーナコーン１８ａおよび燃焼バーナ１８ｂによる燃焼排気の温度が、加熱装置本体１７の下流側で低下することを防止している。
【００３９】
この結果、前記加熱領域における反応炉１１は、反応炉１１の外周側に設けられた加熱装置本体１７により、反応炉１１の外部から間接的に５５０〜８００℃の範囲の温度で加熱され、加熱領域の上流側および下流側もその予熱により所定温度に加熱されている。そのため、混合物Ｘは、まず、加熱領域の予熱によって供給口１４付近から加熱され、その含有する水分の蒸発が始まり、搬送されながら水分の蒸発が進んでいく。そして、混合物Ｘは、水分の蒸発がほぼ終了した状態で、加熱領域に搬送されて間接的に５５０〜８００℃の範囲の温度で加熱されて溶融処理される。
【００４０】
反応炉１１内の様子を図３を用いて具体的に説明する。図３は、反応炉１１の軸方向位置を横軸として、その位置での炉内温度を縦軸として示したものである。図３に実線で示すように、炉内温度は、上流側の供給口１４が約１００℃、排気口１６が約３００℃であり、加熱領域側へ行くにしたがって上昇して、加熱領域内は５５０〜８００℃の範囲の温度になっている。そして、加熱領域の下流側では、加熱領域の温度が排出口１５付近まで保たれ、下流側端部付近で急激に低下する。
【００４１】
一方、図３に仮想線で示すように、反応炉１１に供給された混合物Ｘは、供給口１４付近から徐々に加熱されて、排気口１６付近では水分を含有した状態で約１００℃の温度が一定区間維持される。すなわち、排気口１６が設けられている位置では、混合物Ｘが未だ水分を含有していてアスベストが飛散し難い状態にある。そして、混合物Ｘは、加熱領域側へ搬送されるにしたがってより高温で加熱され、水分を失って温度上昇をはじめる。混合物Ｘが加熱領域に搬送されるまでには炉内温度とほぼ同じ温度に達し、加熱領域では、炉内温度で溶融処理される。
【００４２】
このとき、供給口１４と加熱領域との間で発生した水蒸気は、吸引ファン４５により排気口１６から排気ダクト４１へ吸引され、水蒸気を含む気体が加熱領域に流れ込むことはない。また、反応炉１１内には下流側から上流側の排気口１６へ気体の流れが生じるため、加熱領域において未溶融のアスベストが飛散した場合でも、該アスベストが下流側へ流されて排気口１５から溶融処理物とともに排出されることもない。
【００４３】
また、加熱領域に搬送された混合物Ｘに含まれるアスベストは、前記フロン分解処理物と混合されているので、前記範囲の温度に加熱されることにより容易に溶融し、繊維状の形態が粒状化されて無害化された溶融処理物が得られる。該溶融処理物は排出口１５に設けられたロータリーバルブを介して炉外に排出される。
【００４４】
排気口１６から排気ダクト４１へ吸引された反応炉１１内に気体は、空冷装置４４によって冷却されてフィルタ装置４４へ送られる。同時に、クリーンルーム３０に設けられたおよび吸引口３２から排気ダクト４２へ吸引された気体がフィルタ装置４４へと送られる。フィルタ装置４４では、これら反応炉１１から吸引された気体およびクリーンルーム３０内から吸引された気体をヘパフィルタ４４ｂでろ過することにより、これらの気体に含まれ得る未溶融のアスベストを除去し、清浄化した気体のみを装置外に排気する。
【００４５】
一方、加熱装置本体１７内の燃焼排気は、前記混合物Ｘを加熱した後、加熱装置本体１７の排出口１７ｂに接続された排気ダクト１９ａからノズル１９ｂを介して煙突１９ｃに導かれて大気中に排出される。ノズル１９ｂでは、エゼクトファン１９ｄから排気補助管１９ｅを介し供給される外部空気が上向きに噴出されることにより上昇流が形成されているので、前記燃焼排気は上昇流に伴われて煙突１９ｃから円滑に排出される。
【００４６】
尚、本実施形態では、アスベストを含む廃棄物としてアスベスト吹付材を用いたが、これに限定されるものではなく、例えば、スレート板等の硬質の材料を粉砕したものであってもよい。
【００４７】
また、本実施形態では、アスベストの融点降下剤（フロン分解物）と水とを予め混合した水分散液をホッパ２１から混合装置２０に供給しているが、アスベストの融点降下剤と水とを独立のホッパから別々に混合装置２０に供給するようにしてもよい。
【図面の簡単な説明】
【００４８】
【図１】本発明のアスベスト溶融装置の一構成例を示す概念図。
【図２】・    図１の概念図の詳細を示すシステム構成図。
【図３】反応炉内の温度分布と混合物の状態を示す説明図。
【符号の説明】
【００４９】
１１…反応炉、  １２…加熱手段、  １３…スクリューコンベア、  １４…供給口、  １５…排出口、  １６…排気口、  ３０…クリーンルーム、  ４０…排気処理手段、  ４４…フィルタ。
【図１】
2007105719.tif 000003
【図２】
2007105719.tif 000004
【図３】
2007105719.tif 000005